(57)【要約】【課題】着用者の体型等に合わせてワイヤーを容易に交換できるカップ部を有する衣類を提供する【解決手段】カップ部２の裏面下縁に沿ってワイヤー６を収容するワイヤーループ７が縫着された衣類において、上記ワイヤーループ７の少なくとも一端に上記ワイヤー６の抜差用の開口部を形成し、この開口部を通じて上記ワイヤーループ７内に収容されるワイヤー６の着脱交換を可能にするとともに、上記ワイヤー６として形状の異なる複数のワイヤーを設定し、着用者の体型に合わせてワイヤー６の交換を可能にする。【選択図】図２
2008174859.tif 000002
【特許請求の範囲】
【請求項１】
カップ部の下縁に保形用のワイヤーが備えられた衣類において、
前記カップ部の裏面下縁に沿って保形用のワイヤーを収容するワイヤーループが縫着又は接着されるとともに、前記ワイヤーループの少なくとも一端に前記ワイヤー抜差用の開口部が形成され、この開口部を通じて前記ワイヤーループ内に収容されるワイヤーの着脱交換が自在に構成されていることを特徴とするカップ部を有する衣類。
【請求項２】
前記ワイヤーループの開口部に、該開口部からのワイヤーの着脱を妨げないように、前記開口部を覆う被覆部材が配設されていることを特徴とする請求項１に記載のカップ部を有する衣類。
【請求項３】
前記被覆部材が、前記カップ部の裏面下縁からカップ部脇側縁にかけて配設されたリフトアップ用の部材により構成されていることを特徴とする請求項２に記載のカップ部を有する衣類。
【請求項４】
前記ワイヤーとして形状の異なる複数のワイヤーが設定され、着用者の体型に合わせて前記ワイヤーループに装着するワイヤーを交換できるように構成されていることを特徴とする請求項１から３のいずれかに記載のカップ部を有する衣類。
【請求項５】
前記ワイヤーとして、両端部の開き巾の異なるワイヤーが設定されていることを特徴とする請求項４に記載のカップ部を有する衣類。
【請求項６】
前記ワイヤーとして、中心側の端部が外側に曲折されたワイヤーが設定されていることを特徴とする請求項４または５に記載のカップ部を有する衣類。
【請求項７】
前記ワイヤーとして、中心側から脇側にかけて、着用者の胸部に沿うような曲面を有するワイヤーが設定されていることを特徴とする請求項４から６のいずれかに記載のカップ部を有する衣類。
【発明の詳細な説明】
【技術分野】
【０００１】
この発明は、カップ部を有する衣類に関し、より詳細には、カップ部下縁の曲線に沿ってワイヤーが配設された衣類に関する。
【背景技術】
【０００２】
ブラジャーやブラスリップ、ブラキャミソールなどのカップ部を有する衣類においては、着用者の乳房の形状を美しく保つために、カップ部下縁の曲線に沿ってワイヤーが配設されたものが提案されている（たとえば、特許文献１参照）。
【０００３】
【特許文献１】特開２００３−８９９０２号公報
【発明の開示】
【発明が解決しようとする課題】
【０００４】
しかしながら、このようなワイヤーを備えた従来の衣類においては、以下のような問題があった。
【０００５】
すなわち、この種の衣類におけるワイヤーは、カップ部の保形性を維持するために金属などの硬質な材料で構成される一方、ワイヤーの形状・寸法は、カップ部のサイズ等に合わせて製造段階で予め設定されていることから、着用者の体型や乳房の肉付きなどとワイヤーの形状とが合わないことがあり、このワイヤーによって着用者が痛みを感じたり、窮屈に感じたりする場合があった。
【０００６】
具体的には、この種の衣類のサイズは、一般に、乳房の頂点（トップバスト）のサイズと、乳房直下（アンダーバスト）のサイズの組み合わせによって特定されているが、着用者の体型は、たとえば、図７(a)に示すように、胴体の前後に厚みのある丸胴や、前後の厚みは薄いが左右に幅のある扁平胴といった個人差がある他、乳房の肉付きについても、図７(b)に示すように、肉付きの少ない円錐型、しずくのような形の釣鐘型、さらには、全体的に丸みのあるラウンド型など様々である。
【０００７】
そのため、トップバストとアンダーバストに基づいて衣類のサイズを合わせても、このような体型や乳房の肉付きなどの相違によって、ワイヤーの先端が胴部に食い込んだり、ワイヤー全体が胴部を圧迫したりするなどして、着用者に不快感を与える場合があった。
【０００８】
本発明は、このような問題点に鑑みてなされたものであり、その目的とするところは、着用者の体型等に合わせてワイヤーを容易に交換できるカップ部を有する衣類を提供することにある。
【課題を解決するための手段】
【０００９】
上記目的を達成するため、本発明の請求項１に係るカップ部を有する衣類は、カップ部の下縁に保形用のワイヤーが備えられた衣類において、上記カップ部の裏面下縁に沿って保形用のワイヤーを収容するワイヤーループが縫着又は接着されるとともに、上記ワイヤーループの少なくとも一端に上記ワイヤー抜差用の開口部が形成され、この開口部を通じて上記ワイヤーループ内に収容されるワイヤーの着脱交換が自在に構成されていることを特徴とする。
【００１０】
また、請求項２に係るカップ部を有する衣類は、請求項１に記載のカップ部を有する衣類において、上記ワイヤーループの開口部に、該開口部からのワイヤーの着脱を妨げないように、上記開口部を覆う被覆部材が配設されていることを特徴とする。
【００１１】
また、請求項３に係るカップ部を有する衣類は、請求項２に記載のカップ部を有する衣類において、上記被覆部材が、上記カップ部の裏面下縁からカップ部脇側縁にかけて配設されたリフトアップ用の部材により構成されていることを特徴とする。
【００１２】
また、請求項４に係るカップ部を有する衣類は、請求項１から３のいずれかに記載のカップ部を有する衣類において、上記ワイヤーとして形状の異なる複数のワイヤーが設定され、着用者の体型に合わせて上記ワイヤーループに装着するワイヤーを交換できるように構成されていることを特徴とする。
【００１３】
また、請求項５に係るカップ部を有する衣類は、請求項４に記載のカップ部を有する衣類において、上記ワイヤーとして、両端部の開き巾の異なるワイヤーが設定されていることを特徴とする。
【００１４】
また、請求項６に係るカップ部を有する衣類は、請求項４または５に記載のカップ部を有する衣類において、上記ワイヤーとして、中心側の端部が外側に曲折されたワイヤーが設定されていることを特徴とする。
【００１５】
また、請求項７に係るカップ部を有する衣類は、請求項４から６のいずれかに記載のカップ部を有する衣類において、上記ワイヤーとして、中心側から脇側にかけて、着用者の胸部に沿うような曲面を有するワイヤーが設定されていることを特徴とする。
【発明の効果】
【００１６】
本発明によれば、カップ部の裏面下縁に沿って縫着又は接着されるワイヤーループの少なくとも一端に、当該ワイヤーループに収容されたワイヤーを抜差しするための開口部が形成され、この開口部を通じて上記ワイヤーループ内に収容されるワイヤーの着脱交換が自在に構成されていることから、ワイヤーループ内に収容されているワイヤーの形状が体型に合わない場合には、ワイヤーループ内に収容されたワイヤーを抜き出して体型に合った形状のワイヤーに交換することができる。そのため、ワイヤーの先端が着用者の胴部に食い込んだり、胴部を圧迫したりすることがなく、着用者に不快感を与えることのない衣類を提供することができる。
【００１７】
また、本発明によれば、上記ワイヤーループの開口部に、該開口部からのワイヤーの抜差しを妨げないように上記開口部を覆う被覆部材が配設されるので、開口部からワイヤーが突出した場合でも、上記被覆部材によってワイヤーの端部が着用者の肌に直接当たることがない。そのため、交換可能に構成されたワイヤーによって着用者が傷つけられたり痛みを感じたりすることがない衣類を提供できる。
【００１８】
しかも、上記被覆部材をリフトアップ用の部材によって構成するることにより、部品点数や製作の手間が増すことなく、ワイヤーの先端が胴部に食い込んだり胴部を圧迫したりすることのない衣類を安価に提供することができる。
【発明を実施するための最良の形態】
【００１９】
以下、本発明の実施形態を図面に基づいて詳細に説明する。
実施形態１
図１は、本発明を１／２カップ（いわゆるハーフカップ）タイプのブラジャーに適用した場合を示しており、図１(a)は同ブラジャーの正面図を、図１(b)は同ブラジャーのカップ部の裏面部分拡大図を示している。
【００２０】
図１に示すように、この種のブラジャー１は、周知のように、一対のカップ部２，２と、これら一対のカップ部２，２の中心側どうしを連結する連結部３と、上記カップ部２，２の脇側縁から延設されるサイドパネル４，４と、肩ひも５，５とを主要部として構成されている。
【００２１】
ここで、上記カップ部２，２は、その表面がレース生地などの適宜の生地で装飾される一方、その裏面が不織布などの肌触りのよい適宜の生地で形成された略椀状の形態を有してなり、その裏面下縁には、カップ部２の形が崩れるのを防止するため（保形用）のワイヤー６（図１(b)参照）が備えられている。
【００２２】
具体的には、このワイヤー６は、カップ部２の裏面下縁に沿って縫着されるワイヤーループ７の内部に収容されている。ワイヤーループ７は、ワイヤー６をカップ部２の下縁に沿って所定の位置に配置させるととともに、ワイヤー６が着用者の肌に直接当たるのを防止するために設けられる部材であって、不織布などの肌触りのよい生地を筒状に形成することにより構成され、その内部にワイヤー６が収容される。
【００２３】
本発明は、このように構成されたブラジャー１において、上記ワイヤーループ７内に収容されるワイヤー６を着脱交換可能に構成したものである。
【００２４】
図２は、本発明に係るブラジャー１におけるワイヤー６の取り付け手順を示す説明図である。
【００２５】
ワイヤー６の取り付けにあたっては、まず、図２(a)に示すように、ワイヤーループ７をカップ部２の所定位置に縫着する。具体的には、本実施形態に示すようなハーフカップのブラジャー１の場合、ワイヤーループ７は、カップ部２の下縁に沿うように、その中心側の端部７ａを上記連結部３の上端３ａから数センチ程度（たとえば１．５ｃｍ程度）下げた位置に配置しつつ、脇側の端部７ｂがサイドパネル４の上端４ａに達するような状態で縫製される。
【００２６】
そしてその際、このワイヤーループ７の少なくとも一端（本実施形態では中心側の端部７ａ）にワイヤー抜差用の開口部８が形成される。具体的には、本実施形態では、ワイヤーループ７の中心側の端部７ａのみを残して、脇側の端部７ｂと長手方向側端部７ｃ，７ｄとがカップ部２に縫着される。つまり、このワイヤーループ７は、中心側からワイヤー６を抜き差し可能に収容できる鞘のような状態でカップ部２に取り付けられている。
【００２７】
なお、図２においては、右側のカップ部２についてのみ図示したが、左側のカップ部２についてもこれと同様に、ワイヤーループ７の中心側の端部７ａのみを残して他の端部７ｂ，７ｃ，７ｄとがカップ部２の裏面下縁に縫着される。
【００２８】
ここで、本実施形態において、ワイヤーループ７の中心側の端部７ａを上記連結部３の上端３ａから数センチ程度下げて縫製しているのは、後述する被覆部材９を装着した状態でもこの被覆部材９をめくってワイヤー６の抜差しが容易に行なえるように、被覆部材９の縫代１０と開口部８との間に一定の間隔を形成させるためである。したがって、この下げ幅は、後述する被覆部材９の縫代１０の状態（形状や位置など）に応じて適宜設計変更可能である。
【００２９】
このようにしてワイヤーループ７の縫着が完了すると、次に、このワイヤーループ７内にワイヤー６が収容される（図２(b)参照）。このワイヤー６の収容は、上記開口部８からワイヤー６の脇側の端部６ｂを挿入することにより行われる（図３参照）。これにより、ワイヤーループ７内にワイヤー６が収容され、上記ワイヤー６によりカップ部２の下縁部の形状が型崩れしないように保持される（ワイヤー６の詳細は後述する）。
【００３０】
なお、上記ワイヤー６は、カップ部２の下縁（換言すれば、上記連結部３の上端３ａの近傍からサイドパネル４の上端４ａの近傍にかけての曲線部分）の略全体にわたって配設されることから、本実施形態のように、ワイヤー６を抜差し可能に構成した場合、ワイヤー６の差込が十分でないと、ワイヤー６の中心側の端部６ａが上記開口部８から露出する場合がある。つまり、上記開口部８が着用者の肌に面して開口されていると、同開口部８から突出したワイヤー６の端部６ａが着用者の胸部に当たり、着用者に痛みを感じさせるおそれがある。
【００３１】
そのため、本実施形態においては、ワイヤー６をワイヤーループ７に収容した後に、上記開口部８を覆う被覆部材９を配設している（図２(c)参照）。
【００３２】
この被覆部材９は、上記開口部８から露出するワイヤー６の端部６ａを覆うことによって、当該端部６ａが着用者の胸部に直接当たらないようにするための部材である。そのため、この被覆部材９には、開口部８から突出したワイヤー６が突き抜けない程度の強度と、着用者が痛みや違和感を感じたりすることがないような肌触りとが求められる。本実施形態では、この被覆部材９として、内部に薄いスポンジなどの柔らかい部材が配され、表面に不織布などの丈夫で肌触りのよい生地が配された部材が用いられる。
【００３３】
そして、本実施形態においては、左右のカップ部２，２のそれぞれについて、中心側にワイヤーループ７の開口部８が形成されることから、この被覆部材９としては、これら左右の開口部８を被覆できるように、図２(c)に示すような略逆三角形の形をした部材が用いられている。
【００３４】
より詳細には、この被覆部材９は、上記左右の開口部８のやや上方にその上端縁９ａが位置するように配置されるとともに、当該上端縁９ａに沿って縫代１０が形成される。つまり、この被覆部材９は、その上端縁部分（正確には、図１(b)に示すように、開口部８を囲み込むように上端縁９ａとその両端一部）のみがカップ部２や連結部３に縫着され、下方部分は縫着せずに自由状態とされている。
【００３５】
しかして、このようにしてワイヤー６が取り付けられたブラジャー１においては、被覆部材９の下部をめくりあげることによってワイヤーループ７の開口部８（または、この開口部から突出したワイヤー６の端部６ａ）が視認可能に現れるので、この状態で、ワイヤー６の端部６ａを開口部８から露出させ、露出したワイヤー６の端部６ａをつまんで引き抜くことによりワイヤー６の取り外しが容易に行なえる。また、ワイヤー６を取り付ける際には、これとは反対に、被覆部材９をめくりあげてワイヤーループ７の開口部８を視認し、この状態で、同開口部８にワイヤー６を挿入する。したがって、この場合もワイヤー６の装着を容易に行なうことができる。
【００３６】
しかも、被覆部材９の上端縁部分が開口部８を囲みこむように縫着されているので、たとえ着用者が激しく動いたとしても、開口部８から露出したワイヤー６の端部６ａが被覆部材９から外れて外部に突出することが防止され、同ワイヤー６の端部６ａが着用者の肌と直接触れ合うことがない。
【００３７】
次に、本発明のブラジャー１に使用されるワイヤー６について図３に基づいて説明する。
図３は、同ブラジャー１において交換可能とされるワイヤー６の形状の一例を示す説明図である。
【００３８】
図３(a)は、標準タイプのワイヤー６０を示している。この標準タイプのワイヤー６０は、略Ｕ字形状を呈する薄い金属板材で構成されており、その全体がコーティング加工されるとともに、中心側及び脇側の両端部６０ａ，６０ｂにはそれぞれ保護用の塗装が施されている（図３(b)〜図３(d)に示すワイヤーについても同様である）。
【００３９】
この標準タイプのワイヤー６０の具体的な形状（曲線の形状や両端部間の距離など）は、従来のブラジャーにおけるワイヤーと同様の手法によって設定される。つまり、この標準タイプのワイヤー６０は、標準的な体型や肉付きなどを想定して、その具体的な形状が設定される。ただし、本実施形態では、その長さ（中心側端部６０ａから脇側端部６０ｂまでの曲線部分の長さ）はワイヤーループ７の曲線部分の長さよりもわずかに（たとえば１ｃｍ程度）短く設定され、ワイヤーループ７内に収容した際にその端部（具体的には中心側の端部６０ａ）が上記開口部８から突出しないように設定されている。
【００４０】
図３(b)は、ワイドタイプのワイヤー６１を示している。このワイドタイプのワイヤー６１は、ワイヤー自体の長さは上述した標準タイプのワイヤー６０と同じであるが、両端部６１ａ，６１ｂ間の間隔（両端部の開き巾）を標準タイプよりも所定長（たとえば０．８ｃｍ程度）だけ広く設定している（なお、図３(b)では、比較のため標準タイプのワイヤー６０を一点鎖線で示す）。これは、たとえば着用者が扁平胴の場合、上述した標準的な体型等を考慮して設定された標準タイプのワイヤー６０では、ブラジャー１の着用時に、ワイヤー６０が体に食い込むなどの不具合が生じ得るため、そのようなことが起きないように設定したものである。
【００４１】
図３(c)は、フィットタイプのワイヤー６２を示している。このフィットタイプのワイヤー６２は、正面視においては上記標準タイプのワイヤー６０と略同一の形状を呈するが、平面視においては図３(c)の平面図に示すように、中央部分が外側にわずかに（たとえば、０．６ｃｍ程度）突出するように湾曲させて形成されている（なお、図３(c)でも、比較のため標準タイプのワイヤー６０を一点鎖線で示す）。これは、着用者が丸胴の場合、標準タイプのワイヤー６０のように湾曲しないタイプのワイヤーではワイヤーが胴体に食い込みやすいので、胴体の曲線に合わせてワイヤーを湾曲させることで、ワイヤーの食い込みを防止するように設定したものである。
【００４２】
図３(d)は、先端加工タイプのワイヤー６３を示している。この先端加工タイプのワイヤー６３は、正面視においては上記標準タイプのワイヤー６０と略同一の形状を呈するが、その中心側の端部６３ａから約１ｃｍ程度のところで先端が外側に（約０．５ｃｍ程度）曲折されて形成されている（なお、図３(d)においても、比較のため標準タイプのワイヤー６０を一点鎖線で示す）。このワイヤー６３は、釣鐘型やランド型のように着用者の肉付きがよい場合、標準タイプのワイヤー６０ではワイヤーの中心側の端部が胸元に食い込みやすいので、そのようなことが起きないように設定したものである。
【００４３】
このように、本発明を適用したブラジャー１においては、上記ワイヤーループ７に収容するワイヤー６として、図３に示すような形状の異なる複数のワイヤー６０〜６３が設定されるので、ワイヤーループ７内に収容されているワイヤー６の形状が体型に合わない場合には、ワイヤーループ７内に収容されたワイヤー６（具体的には、上記ワイヤー６０〜６３のいずれか）を抜き出して体型に合った形状のワイヤー６に交換することができ、これにより、ワイヤー６により痛みや圧迫感を感じることがないブラジャー１を提供できる。
【００４４】
なお、このように複数種類のワイヤー６０から６３を設定する場合、最も標準的な標準タイプのワイヤー６０を製造段階でワイヤーループ７内に仕込んでおき、このワイヤー６０が着用者の体型に合わない場合に、その他のワイヤー６１〜６３のうちから体型に合ったものを適宜選択交換できるようにしておくのが好ましい。
【００４５】
実施形態２
次に、本発明の他の実施形態について図４から図６に基づいて説明する。
【００４６】
この第２の実施形態は、カップ部の裏面にリフトアップ用の部材を有するブラジャーに本発明を適用した場合を示している。なお、このリフトアップ用の部材を備えたブラジャー１′においても、一対のカップ部２，２と、これら一対のカップ部２，２の中心側どうしを連結する連結部３と、上記カップ部２，２の脇側縁から延設されるサイドパネル４，４と、肩ひも５，５とを主要部として構成され、カップ部２の裏面下縁には形崩れを防止するためのワイヤー６が備えられている点は上記実施形態１と同様である。したがって、構成が共通する部分には同一の符号を付して説明を省略する。
【００４７】
ここで、図４(a)は３／４カップタイプのブラジャーの正面図を、図４(b)は同ブラジャーのカップ部の裏面部分拡大図を示している。この図４に示すように、カップ部２が乳房の上部までを包み込むように構成されたブラジャー１′においては、カップ部２の裏面にリフトアップ用の部材（リフトアップパネル１０）を備えている場合がある（図４(b)参照）。
【００４８】
この種のリフトアップパネル１０は、着用者の乳房を中心側に持ち上げてボリューム感を持たせるために用いられる部材であり、図示のように、カップ部２の下縁略中央部から肩ひも５が接続されるカップ部２の上端２ａにかけての脇側部分に、略帯状のリフトアップパネル１０をカップ部２の周縁に縫着することにより構成されている。換言すれば、この種のリフトアップパネル１０は、肩ひも５が接続されたカップ部２の上端２ａを用いてカップ部２の下縁を中心側に向かって吊り上げるように配設されている。
【００４９】
そして、このように配設されるリフトアップパネル１０は、上記実施形態１における被覆部材９と同様に丈夫で肌触りのよい部材が好適に用いられるので、本実施形態においては、このリフトアップパネル１０を上記被覆部材として用いている。そして、このようにリフトアップパネル１０を被覆部材として用いることに伴って、ワイヤーループ７の取り付け位置や開口部８の位置等について改変が行われている。
【００５０】
具体的には、この実施形態２に示すブラジャー１′においては、まず、図５(a)に示すように、ワイヤーループ７は、カップ部２の下縁に沿うように、脇側の端部７ｂをサイドパネル４の上端４ａから数センチ程度（たとえば２ｃｍ程度）下げた位置に配置しつつ、中心側の端部７ａが上記連結部３の上端３ａに達するような状態に縫着される。
【００５１】
具体的には、このワイヤーループ７の少なくとも一端（本実施形態では脇側の端部７ｂ）にワイヤー抜差用の開口部８が形成されるように、ワイヤーループ７の脇側の端部７ｂのみを残して、中心側の端部７ａと長手方向側端部７ｃ，７ｄがカップ部２に縫着される。つまり、このワイヤーループ７は、脇側からワイヤー６を抜き差し可能に収容できる鞘のような状態でカップ部２に取り付けられる。
【００５２】
ここで、上記実施形態１とは反対の位置（ワイヤーループ７の脇側）に開口部８を形成しているのは、本実施形態では上記被覆部材として脇側に配されるリフトアップパネル１０を用いるためである。また、そのサイドパネル下げ幅（開口部８の位置）を上記実施形態１よりもわずかに（約０．５ｃｍ程度）広く設定しているのは、被覆部材としてリフトアップパネル１０を用いた場合、上記開口部８はリフトアップパネル１０の奥まった位置に配置されることとなり、このままではワイヤー６の着脱交換作業が行ないにくくなるので、交換作業を行い易くするように間隔を広く設定するためである。
【００５３】
そして、このようにしてワイヤーループ７の縫着が完了すると、次に、このワイヤーループ７内にワイヤー６を収容する（図５(b)参照）。このワイヤー６の収容は、上記開口部８からワイヤー６の中心側の端部６ａを挿入することにより行われる。これにより、ワイヤーループ７内にワイヤー６が収容され、上記ワイヤー６によりカップ部２の下縁部の形状が型崩れしないように保持される。
【００５４】
そして、ワイヤー６の装着が完了すると、次にワイヤーループ７に形成された開口部８を覆い隠すようにリフトアップパネル１０を所定の位置に縫着する（図５(c)参照）。
【００５５】
しかして、このようにしてワイヤー６が取り付けられたブラジャー１′においては、リフトアップパネル１０の中心側端部をめくりあげることによってワイヤーループ７の開口部８（または、この開口部から突出したワイヤー６の端部６ｂ）が視認可能な状態で現れるので、ワイヤー６の端部６ｂを開口部８から露出させ、露出したワイヤー６の端部６ｂをつまんで引き抜くことによりワイヤー６の取り外しを容易に行なえる。また、ワイヤー６を取り付ける際には、リフトアップパネル１０をめくりあげてワイヤーループ７の開口部８を視認し、この状態で、同開口部８にワイヤー６を挿入する。
【００５６】
なお、図６は、本実施形態に示すブラジャー１′において交換可能に使用されるワイヤー６を示している。この図６に示すワイヤー６０′から６３′は、上述した実施形態１におけるワイヤー６０から６３に比べて脇側が若干長くなるように設定されている以外は同様の形態を有している。すなわち、図６(a)は標準タイプのワイヤー６０′を示し、また、図６(b)は、ワイドタイプのワイヤー６１′を示している。さらに、図６(c)は、フィットタイプのワイヤー６２′を、また、図６(d)は、先端加工タイプのワイヤー６３′を示している。
【００５７】
ここで、これらワイヤー６０′から６３′が実施形態１のワイヤーよりも脇側を長く設定しているのは、上述した実施形態１ではカップ部２として１／２カップを用いたが、本実施形態では１／２カップよりも脇側の周縁が長い３／４カップを用いたからである。その他は実施形態１におけるワイヤー６０から６３と同様であるので説明を省略する。
【００５８】
なお、上述した実施形態はあくまでも本発明の好適な実施態様を示すものであって、本発明はこれに限定されることなくその範囲内で種々の設計変更が可能である。
【００５９】
たとえば、上述した実施形態では、本発明をブラジャーに適用した場合を示したが、本発明はカップ部を有する衣類であれば、ブラジャー以外の衣類、たとえば、ブラスリップやブラキャミソールなど他の衣類にも適用可能である。
【００６０】
また、上述した実施形態では、本発明を１／２カップと３／４カップのブラジャーに適用した場合を示したが、本発明はこれらに限られず、たとえば５／８カップなど他のカップのブラジャーにも適用可能である。
【００６１】
さらに、上述した実施形態では、ワイヤーループ７がカップ部２に縫着される場合を示したが、ワイヤーループ７は位置がずれないようにカップ部２に装着されるのであれば、縫着以外の方法（たとえば、接着）によりカップ部２に取り付けることも可能である。
【００６２】
また、上述した実施形態では、ワイヤーループ７の中心側または脇側の一端のみを縫着しないことによって開口部８を形成する場合を示したが、開口部８はワイヤー６の抜き差しが可能な態様（つまり、ワイヤーループ７の一端に開口部８が形成されるもの）であれば、たとえば、ワイヤーループ７の全周を縫着し（または接着し）、ワイヤーループ７の先端付近を切開して開口部８を形成するように構成することも可能である。
【００６３】
また、上述した実施形態では、ブラジャー１，１′の製造にあたり、ワイヤー６をワイヤーループ７に収容した後に被覆部材７，１０を縫着した場合について説明したが、先に被覆部材７，１０を縫着した後にワイヤー６を装着するようにしてもよい。
【図面の簡単な説明】
【００６４】
【図１】本発明を１／２カップタイプのブラジャーに適用した場合を示す説明図であり、図１(a)は同ブラジャーの正面図、図１(b)は同ブラジャーのカップ部の裏面部分拡大図である。
【図２】同ブラジャーにおけるワイヤーの取り付け手順を示す説明図である。
【図３】同ブラジャーにおけるワイヤーの形状の一例を示す説明図である。
【図４】本発明を３／４カップのブラジャーに適用した場合を示す説明図であり、図４(a)は同ブラジャーの正面図、図４(b)は同ブラジャーのカップ部の裏面部分拡大図である。
【図５】同ブラジャーにおけるワイヤーの取り付け手順を示す説明図である。
【図６】同ブラジャーにおけるワイヤーの形状の一例を示す説明図である。
【図７】着用者の体型を分類した説明図であり、図７(a)は着用者の胴体の形状を、図７(b)は乳房の形状を示している。
【００６５】
１，１′    ブラジャー
２          カップ部
３          連結部
４          サイドパネル
５          肩ひも
６          ワイヤー
７          ワイヤーループ
８          開口部
９          被覆部材
１０        リフトアップパネル
【図１】
2008174859.tif 000003
【図２】
2008174859.tif 000004
【図３】
2008174859.tif 000005
【図４】
2008174859.tif 000006
【図５】
2008174859.tif 000007
【図６】
2008174859.tif 000008
【図７】
2008174859.tif 000009